(57)【特許請求の範囲】
【請求項１】
撮像信号を生成する撮像部と、上記撮像信号の垂直走査期間内にカラーバー信号を出力する所定期間を設定操作する操作手段とを備えるカメラヘッドと、
上記操作手段により設定された上記撮像信号の垂直走査期間内の所定期間に水平走査周期のカラーバー信号を生成するカラーバー生成手段と、上記カラーバー生成手段からのカラーバー信号を出力すると共に、上記カラーバー信号が供給されない期間に上記撮像信号を出力する信号出力手段とを備えるカメラコントロールユニットを有し、
上記カメラヘッドに備えられた上記操作手段の設定操作により、上記カメラコントロールユニットに備えられた上記カラーバー生成手段が上記撮像信号の垂直走査期間内にカラーバー信号を出力する所定期間の長さを調整自在としたことを特徴とするカメラ装置。
【請求項２】
上記カラーバー生成手段は、上記カメラコントロールユニットに備えられた同期信号発生手段により与えられる垂直同期信号及び水平同期信号に基づいて上記所定期間を与えるカウンタを備え、上記カウンタのカウント値が上記カメラヘッドに備えられた上記操作手段により設定されることを特徴とする請求項１に記載のカメラ装置。
【発明の詳細な説明】
【０００１】
【発明の属する技術分野】
本発明は、カラーバーをモニタ装置等に表示させることができるカメラ装置に関する。
【０００２】
【従来の技術】
現在、撮像系が小指ほどの大きさである小型カメラ装置が提供されている。このような小型カメラ装置は、例えば１／４インチのＣＣＤイメージセンサを用いて被写体を撮像し、撮像して得られた撮像信号をケーブルを介してカメラコントロールユニット（ＣＣＵ）に供給している。小型カメラ装置では、このＣＣＵにおいてディジタルシグナルプロセッサ（ＤＳＰ）内のサンプリングパルスに基づいてガンマ補正やホワイトバランス調整等のディジタル信号処理が行われると共に、このサンプリングパルスに基づいて上記ＣＣＤイメージセンサが駆動されている。そして、上記ＣＣＵは、供給された撮像信号をディジタル信号処理した後、この撮像信号をモニタ装置や記録系に出力している。
【０００３】
【発明が解決しようとする課題】
ところで、ユーザは、撮像された被写体の色をモニタ装置等で確認して、その色の具合に応じて色調整等を施したいときがある。このとき、ユーザは、モニタ装置に表示された被写体の色を覚えておき、そして画面全体をカラーバー表示して、被写体の色とカラーバーの色とが合致しているか否かを判断しなければならず、甚だ不便であった。
【０００４】
また、ユーザは、ＣＣＵを所定の場所に置いて、カメラヘッドを持って移動しながらモニタ装置に表示された被写体を確認し、被写体を撮影することがある。このとき、ユーザは、カラーバーを表示したいときには、わざわざＣＣＵまで移動してカラーバーの表示のための設定を行って、再び元の場所に戻って被写体を撮影しなければならず、その設定操作が困難であった。
【０００５】
本発明は、このような問題点に鑑みてなされたものであり、表示画面に被写体の映像とカラーバーを表示させると共に、その操作を容易に行うことができるカメラ装置を提供することを目的とする。
【０００６】
【課題を解決するための手段】
本発明に係るカメラ装置は、撮像信号を生成する撮像部と、上記撮像信号の垂直走査期間内にカラーバー信号を出力する所定期間を設定操作する操作手段とを備えるカメラヘッドと、上記操作手段により設定された上記撮像信号の垂直走査期間内の所定期間に水平走査周期のカラーバー信号を生成するカラーバー生成手段と、上記カラーバー生成手段からのカラーバー信号を出力すると共に、上記カラーバー信号が供給されない期間に上記撮像信号を出力する信号出力手段とを備えるカメラコントロールユニットを有し、上記カメラヘッドに備えられた上記操作手段の設定操作により、上記カメラコントロールユニットに備えられた上記カラーバー生成手段が上記撮像信号の垂直走査期間内にカラーバー信号を出力する所定期間の長さを調整自在としたことを特徴とする。
【０００７】
そして、上記カメラ装置では、撮像信号の垂直走査期間内の所定期間に水平走査周期のカラーバー信号が出力され、その他の期間に撮像信号が出力される。したがって、モニタ装置には、カラーバーと共に被写体の映像が表示される。
【０００８】
また、本発明に係るカメラ装置におけるカラーバー生成手段は、例えば、カメラコントロールユニットに備えられた同期信号発生手段が発生する垂直同期信号及び水平同期信号に基づいてカウンタにより上記所定期間が与えられる。上記カウンタのカウント値が上記カメラヘッドに備えられた上記操作手段により設定されることにより、カラーバー信号を出力する所定期間の長さが調整される。
【００１０】
【発明の実施の形態】
以下、本発明の実施の形態について、図面を参照しながら説明する。本発明は、撮像信号の撮像信号の垂直走査期間内の所定期間に水平走査周期のカラーバー信号を生成して出力し、カラーバー信号が供給されない期間には撮像信号を出力することにより、被写体の撮像信号とカラーバー信号とからなるフィールド信号を出力することができるカメラ装置に関するものである。
【００１１】
本発明に係るカメラ装置は、例えば図１に示すように、カメラヘッド１０と、このカメラヘッド１０とケーブル２０を介して接続されているカメラコントロールユニット（ＣＣＵ：Camera Control Unit）３０とを有する。
【００１２】
カメラヘッド１０は、例えば小指ほどの大きさに形成されている。このカメラヘッド１０は、撮像信号を生成するＣＣＤイメージセンサ１１と、この撮像信号を増幅するプリアンプ／バッファ回路１２と、操作部１３とを備える。
【００１３】
ＣＣＤイメージセンサ１１は、例えば１／４インチの大きさである。このＣＣＤイメージセンサ１１は、被写体の撮像光に応じた撮像信号を生成して、この撮像信号をプリアンプ／バッファ回路１２に供給する。
【００１４】
プリアンプ／バッファ回路１２は、後述のようにケーブル２０を取り換えてケーブル２０を延長する場合にも対処すべく、ＣＣＤイメージセンサ１１から供給された撮像信号を増幅することによりＳ／Ｎを向上させ、増幅した撮像信号をケーブル２０を介してＣＣＵ３０に供給する。
【００１５】
操作部１３は、モニタ装置等の画面に表示されるカラーバー領域の大きさを設定することができ、所定のプリセット値に設定操作することによりカラーバー回路４４に対してカラーバー領域の設定を行うことができるようになっている。したがって、操作部１３は、所定の操作が行われると、操作信号をケーブル２０を介して、ＣＣＵ３０内の後述するマイクロコンピュータ（マイコン）４８に供給するようになっている。したがって、マイコン４８は、この操作信号に基づいて、詳しくは後述するが、カラーバー回路４４から出力されるカラーバー信号の出力期間を制御することができる。なお、この操作部１３は、上記ＣＣＵ３０に設けられていても良い。
【００１６】
カメラヘッド１０のカメラコネクタ１４には、図２に示すように、ケーブル２０の両端に設けられているケーブルコネクタ２１の一方が嵌合される。また、ＣＣＵ３０のＣＣＵコネクタ３１には、ケーブル２０の他方のケーブルコネクタ２１が嵌合される。すなわち、ケーブル２０の両端に設けられているケーブルコネクタ２１は、それぞれ同じ形状に形成され、それぞれ図示しないケーブル長検出用の抵抗を有している。したがって、ＣＣＵ３０にいずれのケーブルコネクタ２１が嵌合されても、マイコン４８は、ケーブル２０の長さを認識することができるようになっている。
【００１７】
また、ＣＣＵ３０は、カメラヘッド１０で得られた撮像信号をケーブル２０を介して供給されるようになっていて、カメラヘッド１０からの撮像信号が供給されるＣＣＵコネクタ３１と、ＣＣＤイメージセンサ１１を駆動するＣＣＤドライバ３２と、相関二重サンプリング／自動利得制御（CDS/AGC:Correlated Double sampling/Automatic Gain Control）回路３３と、アナログ／ディジタル（A/D）コンバータ３４と、ディジタル信号処理回路（DSP:Digital Signal Processor）３５と、信号処理により画像の特定部分を拡大する電子ズーム回路３６と、エンコーダであるビデオ信号出力回路３７と、モニタ装置やパーソナルコンピュータからのケーブルと接続される入出力コネクタ３８とを備える。
【００１８】
ケーブル２０を介してＣＣＵ３０に供給される撮像信号は、ＣＣＵコネクタ３１を介してＣＤＳ／ＡＧＣ回路３３に供給される。また、ＣＣＤドライバ３２からの後述する駆動パルスは、ＣＣＵコネクタ３１を介して、ＣＣＤイメージセンサ１１を駆動するようになっている。
【００１９】
ＣＣＤドライバ３２は、ＤＳＰ３５からの同期信号に基づいて、水平・垂直転送パルス，信号電荷リセット用パルス等の駆動パルスを生成し、この駆動パルスをＣＣＵコネクタ３１，プリアンプ／バッファ回路１２を介してＣＣＤイメージセンサ１１に供給して、ＣＣＤイメージセンサ１１を駆動するようになっている。
【００２０】
なお、カメラヘッド１０は、光学的なオートアイリス機構を設けてなく、小型化が図られている。したがって、ＣＣＤドライバ３２は、ＤＳＰ３５からの同期信号に基づいてＣＣＤイメージセンサ１１の電荷蓄積期間を制御し、露光を調整することができるようになっている。
【００２１】
ＣＤＳ／ＡＧＣ回路３３は、ＤＳＰ３５からＳＨＤパルス（Sample Hold of Data Pulse）とＳＨＰパルス（Sample Hold of Pre-charge Pulse）が供給されるようになっていて、ＣＣＵコネクタ３１を介して供給される撮像信号のプリチャージレベルとデータレベルをサンプルホールドし、その差分を検出して正確な信号レベルを検出すると共に、ランダム雑音を除去し、さらに、撮像信号の強弱に応じてＣＤＳ／ＡＧＣ回路３３自体の利得を自動的に制御して、常に信号レベルの安定した撮像信号を出力している。
【００２２】
Ａ／Ｄコンバータ３４は、ＤＳＰ３５からのサンプリングパルスに基づいて駆動するようになっていて、ＣＤＳ／ＡＧＣ回路３３からの撮像信号をディジタル化して、撮像データをＤＳＰ３５に供給する。
【００２３】
ＤＳＰ３５において、その内部にある同期信号発生器３５ａが上述の同期信号及びサンプリングパルスを発生すると共に、ＳＨＤパルス及びＳＨＰパルスを生成する。そして、ＤＳＰ３５では、このサンプリングパルスに同期して、カラーマトリクス調整，逆光補正，ガンマ補正，ネガ／ポジ変換等のディジタル信号処理が行われるようになっている。ＤＳＰ３５は、例えば、カラーマトリクス調整によって基準となる白色を変えることなく色相を調整したり、逆光補正によって飽和領域，光量不足領域を検知して、最適部分に測光位置をずらすことができるようになっている。
【００２４】
電子ズーム回路３６は、ＤＳＰ３５からの撮像データに基づいて所定のエリアを１〜３倍に拡大して、上記所定のエリアを拡大した撮像データを再びＤＳＰ３５に供給する。
【００２５】
ビデオ信号出力回路３７は、ＤＳＰ３５からの撮像データをＮＴＳＣ（National Television System Committee）方式又はＰＡＬ（Phase Alternation by Line）方式のビデオ信号を入出力コネクタ３８を介してモニタ装置に送信する。
【００２６】
また、上記ＣＣＵ３０は、Ａ／Ｄコンバータ３９と、外部同期信号を調整する電子ボリューム回路４０と、外部同期をかけて信号処理を行うための外部同期回路４１と、フラッシュメモリ４２と、例えばメニュー表示のための文字・記号等の色信号を出力するオン・スクリーン・ディスプレイ（ＯＳＤ）回路４３と、カラーバーを生成するカラーバー回路４４と、パーソナルコンピュータとのインタフェースであるＲＳ２３２Ｃドライブ４５と、長時間露光モードのタイミング信号を出力するライト・イネーブル（ＷＥＮ）出力回路４６と、各回路に電源を供給するＤＣ／ＤＣコンバータ４７と、装置全体を制御するマイコン４８を備える。
【００２７】
Ａ／Ｄコンバータ３９は、ケーブル２０の内部に設けられているケーブル長検出用の抵抗に印加されている電圧値をディジタル信号に変換して、このディジタル信号をマイコン４８に供給する。マイコン４８は、Ａ／Ｄコンバータ３９で検出された電圧に基づいてケーブル２０の長さを認識し、そのケーブル長に応じて同期信号発生器３５ａ等の駆動タイミングを制御するようになっている。
【００２８】
電子ボリューム回路４０は、外部同期回路４１で分離される同期信号等のうち、例えば信号レベルが小さいものの信号レベルを上げるように、マイコン４８によって調整されるようになっている。
【００２９】
外部同期回路４１は、入出力コネクタ３８を介して例えば外部の図示しないカメラから信号が供給され、この信号から同期信号やサブキャリア等を分離して、ＤＳＰ３５内の同期信号等を位相の比較を行う。そして、外部同期回路４１は、この位相比較の結果に基づいて、ＤＳＰ３５内の同期信号等が外部からの同期信号等に同期するように、同期信号発生器３５ａの駆動を制御する。
【００３０】
フラッシュメモリ４２は、ＲＳ２３２Ｃドライブ４５，マイコン４８を介して外部のパーソナル・コンピュータ１００からプログラムの書換えが可能になっている。なお、マイコン４８は、このフラッシュメモリ４２のプログラムに基づいて装置全体を制御する外部メモリ制御モードになったり、フラッシュメモリ４２へプログラムを書き込む内部メモリモードになったりする。したがって、マイコン４８は、フラッシュメモリ４２のプログラムが破壊されても、外部のパーソナルコンピュータ１００等でフラッシュメモリ４２にプログラムを書き込むことができる。
【００３１】
ＯＳＤ回路４３は、マイコン４８の制御に基づき、メニュー表示のためのキャラクタを表す赤（Ｒ），緑（Ｇ），青（Ｂ）の各色信号を生成し、これら色信号をカラーバー回路４４に供給する。
【００３２】
カラーバー回路４４は、マイコン４８の制御に基づいて、垂直走査周期毎に所定の色信号を出力することにより、例えば７色のカラーバーを表すカラーバー信号を生成し、このカラーバー信号にＯＳＤ回路４３からの色信号を重畳してＤＳＰ３５に供給する。
【００３３】
具体的には、カラーバー回路４４は、図３に示すように、ＤＳＰ３５からの垂直同期信号及びコンポジットブランキング（ＣＢＬＫ）信号に基づいてカラーバーゲート信号を出力するカウンタ５１と、発振器５２のマスタークロックに基づいてＲ，Ｇ，Ｂの色信号を組み合わせて出力するカウンタ５３と、上記カラーバーゲート信号が供給されている間に上記色信号を出力するＡＮＤゲート５４，５５，５６と、この色信号にＯＳＤ回路４３からの色信号を合成するＯＲゲート５７，５８，５９とを備える。ＣＢＬＫ信号には、水平同期信号が含まれている。
【００３４】
カウンタ５１は、垂直同期信号が供給されるとリセットし、水平走査周期のＣＢＬＫ信号を所定数カウントすると、図４に示すように、再びリセットされるまでカラーバーゲート信号を出力するようになっている。また、カウンタ５１は、カラーバーゲート信号を出力するまでにＣＢＬＫ信号をカウントする数を変えることができ、例えばマイコン４８の制御に基づいて図３に示すＡ〜Ｅのいずれかのプリセットが設定されると、上記カウント数をこのプリセット値に設定するようになっている。
【００３５】
カウンタ５３は、発振器５２の発振周波数に同期してＲ，Ｇ，Ｂの各色信号からなるカラーバー信号を出力し、このカラーバー信号をＡＮＤゲート５４，５５，５６に供給する。
【００３６】
具体的には、カウンタ５３は、１水平走査期間内で、例えばグレー（Ｒ＋Ｇ＋Ｂ），イエロー（Ｒ＋Ｇ），シアン（Ｇ＋Ｂ），グリーン（Ｇ），マゼンダ（Ｒ＋Ｂ），レッド（Ｒ），ブルー（Ｂ）の順に色が変化するカラーバー信号を出力するようになっている。
【００３７】
ＡＮＤゲート５４，５５，５６は、カウンタ５１からのカラーバーゲート信号が供給されると、カウンタ５３からのカラーバー信号をＯＲゲート５７，５８，５９に供給する。ＯＲゲート５７，５８，５９は、ＡＮＤゲート５４，５５，５６からのカラーバー信号にＯＳＤ回路４３からの各色信号を合成して、この合成された各色信号をＤＳＰ３５に供給する。したがって、垂直走査周期に対するＣＢＬＫ信号が出力される期間が、画面の縦方向に対するカラーバーの高さに相当する。換言すると、カラーバー回路４４は、カラーバーゲート信号を出力する期間を調整することによって、画面に対するカラーバーの表示領域を調整することができる。
【００３８】
なお、ＯＲゲート５７，５８，５９は、ＡＮＤゲート５４，５５，５６からカラーバー信号が供給されていなくても、ＯＳＤ回路４３からキャラクタを表示するための色信号が供給されているときは、これらの色信号をそのままＤＳＰ３５に供給する。ＤＳＰ３５は、映像信号にキャラクタを示す色信号を合成して、この合成信号をビデオ出力回路３７に供給するようになっている。
【００３９】
ここで、ＤＳＰ３５は、図３に示すように、切換回路３５ｂ〜３５ｄの切り換えにより、ディジタル信号処理された撮像データ又はカラーバー回路４４からのカラーバー信号を選択的に出力することができるようになっている。具体的には、ＤＳＰ３５は、カラーバー回路４４からのカラーバーゲート信号とＯＳＤ回路４３からキャラクタを表示するための色信号が出力されている期間に出力されるＯＳＤゲート信号との論理和出力がＯＲゲート６０を介して切換制御信号として切換回路３５ｂ〜３５ｄに供給されるようになっており、カラーバーゲート信号又はＯＳＤゲート信号が供給されているときは切換回路３５ｂ〜３５ｄをカラーバー側にしてカラーバー信号又はキャラクタを表示するための色信号を出力し、カラーバーゲート信号及びＯＳＤゲート信号ゲート信号が供給されていないときは切換回路３５ｂ〜３５ｄをＲＧＢの映像信号側にして撮像信号を出力する。
【００４０】
ＲＳ２３２Ｃドライブ４５は、入出力コネクタ３８を介して例えばパーソナルコンピュータからの制御信号が供給され、この制御信号を所定の信号に変換してマイコン４８に供給する。換言すると、ユーザは、パーソナルコンピュータ等によって画質や色合い等を制御できるようになっている。
【００４１】
ＷＥＮ出力回路４６は、例えばマイコン４８を介してＤＳＰ３５が長時間露光モードに設定されると、すなわち、ＣＣＤイメージセンサ１１の電荷蓄積期間が数フィールドに設定されると、長時間露光時の出力タイミングを出力する。これは、例えばビデオキャプチャボードへ供給され、長時間露光された映像信号の出力のキャプチャリングに利用される。
【００４２】
ＤＣ／ＤＣコンバータ４７は、ＤＳＰ３５や電子ズーム回路３６等のＬＳＩやＩＣに電圧変動の少ない多種類の低電圧を供給するため、所定の電圧に変換して供給している。
【００４３】
以上のように構成されたカメラ装置において、ケーブル２０がカメラヘッド１０及びＣＣＵコネクタ３１に装着されると、マイコン４８は、Ａ／Ｄコンバータ３９を介してケーブル２０の長さを検出する。マイコン４８は、Ａ／Ｄコンバータ３９の検出結果に基づいて外部同期回路４１を制御して、同期信号発生器３５ａによる同期信号、サンプリングパルス、ＳＨＤパルス及びＳＨＰパルスの発生タイミングを調整する。ＣＣＤドライバ３２は、ＤＳＰ３５からの同期信号に基づいて、駆動パルスをカメラヘッド１０に供給する。ＣＤＳ／ＡＧＣ回路３３は、ＤＳＰ３５からのＳＨＤパルス及びＳＨＰパルスに基づいて、ＣＣＤイメージセンサ１１からの撮像信号を相関二重サンプリング処理を施すことができる。また、Ａ／Ｄコンバータ３４やＤＳＰ３５は、サンプリングパルスに基づいて駆動される。すなわち、マイコン４８は、ＣＣＤイメージセンサ１１を駆動して得られた撮像信号がＣＣＵ３０に供給されるまでに生じる同期系のずれ、すなわち、ＣＣＤイメージセンサ１１とＣＤＳ／ＡＧＣ回路３３，Ａ／Ｄコンバータ３４との駆動タイミングのずれを調整することができる。
【００４４】
そして、ＣＣＤイメージセンサ１１は、被写体に応じた撮像信号を生成し、この撮像信号ケーブル２０等を介してＣＤＳ／ＡＧＣ回路３３，Ａ／Ｄコンバータ３４に供給する。ＤＳＰ３５は、Ａ／Ｄコンバータ３４から供給された撮像データにいわゆるディジタル信号処理を施し、この撮像データをビデオ出力回路３７等を介して例えばモニタ装置の外部機器に供給する。モニタ装置には、上記カメラ装置で撮影された被写体の映像が表示される。
【００４５】
また、マイコン４８は、操作部１３でカラーバー表示の所定の操作がされて操作信号が供給されると、カウンタ５１がＣＢＬＫ信号をカウントする数をプリセット値に設定して、画面に対するカラーバーの表示領域を決定する。
【００４６】
カウンタ５１は、ＤＳＰ３５から垂直同期信号が供給されると、カウント数をリセットして、ＣＢＬＫ信号のカウントを開始する。カウンタ５１は、ＣＢＬＫ信号のカウント数がプリセット値で設定された値になると、カウント数がリセットされるまでカラーバーゲート信号を出力し続ける。換言すると、カウンタ５１は、リセットしてからＣＢＬＫ信号を所定数カウントする期間にはカラーバーゲート信号を出力することができない。このとき、ＡＮＤゲート５４，５５，５６は、カウンタ５１からカラーバーゲート信号が供給されないので、カウンタ５３からのカラーバー信号を出力しない。
【００４７】
そして、カウンタ５１は、ＣＢＬＫ信号を上記所定数カウントすると、カラーバーゲート信号を出力する。ＡＮＤゲート５４，５５，５６は、カウンタ５１からカラーバーゲート信号が供給される間、カウンタ５３からのカラーバー信号をＯＲゲート５７，５８，５９に供給する。ＯＲゲート５７，５８，５９は、ＯＳＤ回路４３からの各色信号とＡＮＤゲート５４，５５，５６からのカラーバー信号とを合成してＤＳＰ３５に供給する。したがって、ＤＳＰ３５には、カラーバー信号の入力端子とキャラクタを表示するための色信号の入力端子を個別に設ける必要がなく、共通の入力端子を介してカラーバー信号とキャラクタを表示するための色信号が入力される。
【００４８】
ＤＳＰ３５は、ＯＲゲート６０から供給される切換制御信号、すなわち、カラーバー回路４４からのカラーバーゲート信号とＯＳＤ回路４３からのキャラクタを表示するための色信号が出力されている期間に出力されるＯＳＤゲート信号との論理和出力により切換回路３５ｂ〜３５ｄが制御されることによって、カラーバーゲート信号により与えられるカラーバーの出力期間及びＯＳＤゲート信号により与えられるキャラクタの出力期間以外の期間中は、切換回路３５ｂ〜３５ｄがＲＧＢ側に切り換えられ、映像信号をビデオ出力回路３７に供給する。又、ＤＳＰ３５は、カラーバーゲート信号により与えられるカラーバーの出力期間中は、切換回路３５ｂ〜３５ｄがカラーバー出力側に切り換えられ、カラーバー回路４４からのカラーバー信号をビデオ出力回路３７に供給する。さらに、ＤＳＰ３５は、ＯＳＤゲート信号により与えられるキャラクタの出力期間中は、切換回路３５ｂ〜３５ｄがカラーバー出力側に切り換えられ、カラーバー回路４４からのカラーバー信号と合成されているＯＳＤ回路４３からのキャラクタを表示するための色信号をビデオ出力回路３７に供給する。
【００４９】
ビデオ出力回路３７は、ＤＳＰ３５から供給される映像信号とカラーバー信号とキャラクタを表示するための色信号との合成信号を例えばＮＴＳＣ方式のテレビジョン信号にして、入出力コネクタ３８を介してモニタ装置に供給する。
【００５０】
上記モニタ装置には、垂直走査周期の前半期間に被写体のビデオ信号が供給され、後半期間にカラーバー信号が供給されるため、例えば図５に示すように、画面の上半分に被写体の映像が表示され、画面の下半分にカラーバーが表示される。また、ＯＳＤゲート信号の出力タイミングに応じた画面の任意の場所にキャラクタが表示される。なお、上記カウンタ５１からのカラーバーゲート信号により与えられるカラーバーの出力期間を垂直走査周期の前半期間に設定することにより、画面の上半分にカラーバーを表示することもできる。
【００５１】
すなわち、上記モニタ装置は、例えば図５に示すように、垂直走査周期において、カウンタ５１がカラーバーゲート信号を出力しない期間は被写体の映像を表示して、カウンタ５１がカラーバーゲート信号を出力している期間は、グレー，イエロー，シアン，グリーン，マゼンダ，レッド，ブルーの７色のカラーバーを表示することができる。
【００５２】
また、カラーバー回路４４のカウンタ５１は、上述のように、操作部１３に操作に応じてＣＢＬＫ信号をカウントする数を変えることができる。したがって、カラーバー回路４４は、このカウント数が少なく設定されると、垂直同期信号を検出してからすぐにカラーバー信号を出力するようになり、モニタ装置の画面により大きなカラーバーを表示させることができる。
【００５３】
以上のように、上記カメラ装置は、モニタ装置の画面に被写体の映像と共にカラーバーを表示させることができる。したがって、ユーザは、モニタ画面全体にカラーバーを表示させ、従来の方法のようにカラーバーの切り換えをせずモニタ装置の調整を行うことができる。又、被写体の色をグレー，イエロー，シアン，グリーン，マゼンダ，レッド，ブルーの７色のカラーバーと比較することが可能である。
【００５４】
また、上記カメラ装置は、カメラヘッド１０の操作部１３でモニタ装置の画面に対してカラーバーが表示される割合を調整することができるため、被写体の大きさに応じてカラーバーの表示領域を設定して、カラーバーの利用の便を図ることができる。
【００５５】
また、上記カメラ装置は、モニタ装置の画面に被写体の映像を表示したり、この被写体とカラーバーとを同時に表示して、これらの表示の選択操作をカメラヘッドで行うことができるため、ＣＣＵでこれらの選択操作を行う必要がなく、操作性を向上することができる。
【００５６】
なお、本発明は、特に限定した記載がない限り上述の実施の形態に限定されるものではなく、例えばケーブル２０の長さを特定することができるものであれば、特に上述の実施態様に限定されないのは勿論である。
【００５７】
【発明の効果】
以上詳細に説明したように本発明に係るカメラ装置によれば、カメラコントロールユニットに備えられたカラーバー生成手段により、撮像信号の垂直走査期間内の所定期間に水平走査周期のカラーバー信号を生成して出力し、カラーバー信号が供給されない期間に撮像信号を出力することにより、例えばモニタ装置の画面に被写体の映像とカラーバーとを同時に表示させることができる。したがって、ユーザは、被写体の色とカラーバーの色とを比較して観察することができるため、色合い，色相等の調整を容易に行うことができる。
【００５８】
また、上記カメラ装置によれば、カメラヘッドに備えられた操作手段の設定操作により、カメラコントロールユニットに備えられたカラーバー生成手段が撮像信号の垂直走査期間内にカラーバー信号を出力する所定期間野長さを設定操作することができ、上記カラーバー生成手段が上記操作手段の設定操作に基づく所定期間にカラーバー信号を出力することにより、モニタ装置に表示されるカラーバーの表示領域を設定することができる。
【００５９】
したがって、ユーザは、被写体の大きさに応じてカラーバーの表示領域を設定できるため、例えばカラーバー表示により被写体の重要部分が隠れてしまった場合にはカラーバーの表示領域を小さくして、視覚性の便を図ることができる。
【図面の簡単な説明】
【図１】本発明に係るカメラ装置の具体的な構成を示すブロック図である。
【図２】上記カメラ装置の外観図である。
【図３】上記カメラ装置のカラーバー回路の具体的な構成を示すブロック図である。
【図４】上記カラーバー回路の動作説明をするタイミングチャートである。
【図５】モニタ装置に表示された画面の状態を説明するための図である。
【符号の説明】
１３  操作部、３５  ＤＳＰ、４４  カラーバー回路
【図１】
0003944926.tif 000002
【図２】
0003944926.tif 000003
【図３】
0003944926.tif 000004
【図４】
0003944926.tif 000005
【図５】
0003944926.tif 000006